(57)【特許請求の範囲】
【請求項１】
基台(2) 上に、エンジン(3) と、このエンジン(3) によって駆動される駆動軸を当該基台(2) の長手方向に配置した破砕機(11)と、この破砕機(11)の上部で外部から投入した木材を破砕機(11)に導く回転式タブ(12)と、破砕機(11)によって破砕した木材片の飛散方向(R) に対向して回転式タブ(12)の上端部に近接配置した飛散防止カバー(13)とを有する木材破砕機において、
エンジン(3) の冷却ファン(4) の吸込口を飛散防止カバー(13)側に配置したことを特徴とする木材破砕機。
【請求項２】
破砕機(11)等の駆動制御部の制御盤(16)を、飛散防止カバー(13)と反対側の基台(2) 上に配置したことを特徴とする請求項１記載の木材破砕機。
【請求項３】
エンジン(3) のクランク軸方向を基台(2) の長手方向とほぼ直交する方向に配置し、かつ少なくとも油圧駆動によって破砕機(11)を駆動することを特徴とする請求項１又は２記載の木材破砕機。
【請求項４】
エンジン(3) の冷却ファン(4) を吸い込み式とすると共に、吸込口にネット(15)を有することを特徴とする請求項１〜３のいずれかに記載の木材破砕機。
【請求項５】
破砕機(11)下方で基台(2) に支持されて破砕機(11)によって破砕した木材片を外部に搬出自在とすると共に、木材破砕機(17)本体の輸送限界寸法内に折り畳み自在とされたコンベア(17)を有することを特徴とする請求項１〜４のいずれかに記載の木材破砕機。
【発明の詳細な説明】
【０００１】
【発明の属する技術分野】
本発明は木材破砕機に関し、特に木材を細かい木材片に破砕する木材破砕機に関する。
【０００２】
【従来の技術】
木材破砕機５０は例えば図６に示すように、基台５１上にクランク軸をこの基台５１の長手方向に配置したエンジン５２と、エンジン５２によってプロペラシャフト５３を介して駆動される駆動軸を、基台５１の長手方向に配置された破砕機５４とを有する。尚、本例機は自走式で履帯式車両としたが装輪式車両であってもよい。また、基台５１上には、破砕機５４と反対側のエンジン５２端部に設置された冷却ファン５５の上流に近接して、ラジエータ５６と、ラジエータ５６のさらに上流に冷却風の吸入口５７が設置されている。そして破砕機５４の上部には、外部から投入した木材を破砕機５４に導くじょうご状の回転式タブ５８が設置され、回転式タブ５８の上縁には破砕機５４の回転によって破砕された木材片の飛散方向に対向して、この回転式タブ５８の上端部に近接する下端縁を有するシェル状の飛散防止カバー５９が配置される。破砕機５４で破砕した木材片は破砕機５４の下方からコンベア６０を介して外部に排出される。
【０００３】
上記木材破砕機５０は例えばパルプ原料であるチップ製造用に使用される。使用現場は森林内は基より、場合によっては市街地に設置されることもある。木材破砕機５０のオペレータは木材破砕機が発生する破砕片や埃が飛散しない、飛散防止カバー５９と反対側となる木材破砕機５０の側方で操作する。また木材破砕機５０に木材を投入するパワーショベル等の積込機械のオペレータも木材破砕機５０のオペレータと同じ側で操作する。尚、コンベアはチップ等の破砕物が同一場所に体積し易いように先端を高く（従って長く）することが望まれる。
【０００４】
【発明が解決しようとする課題】
しかし、前記従来技術には次のような問題がある。
（１）木材破砕機が発生する破砕片や埃は軽いため木材破砕機のオペレータや積込機のオペレータの方向まで飛散あるいは流れてくるため、オペレータの視界性が低下して作業能率及び安全性が低下する問題がある。
（２）基台５１の長手方向に、破砕機５４、プロペラシャフト５３、エンジン５２、冷却ファン５５、ラジエータ５６、及び冷却風の吸入口５７が一直線に配置されているため、回転式タブ５８の回転中心から冷却風の吸入口５７までの長さＬ１が増大して車長が長くなる。すなわち木材破砕機５０がコンパクトにならず狭所での操舵性が悪い。
（３）コンベア６０が長いため木材破砕機５０の全長Ｌ２が長くなり上記（２）同様に狭所での操舵性が悪い。
【０００５】
本発明は、上記の問題点に着目してなされたもので、木材破砕機のオペレータ及び木材破砕機に木材を投入する積込機のオペレータの環境が向上する木材破砕機を提供することを目的としている。
【０００６】
【課題を解決するための手段、作用および効果】
上記の目的を達成するために、本願の第１発明に係る木材破砕機は、基台上に、エンジンと、このエンジンによって駆動される駆動軸を当該基台の長手方向に配置した破砕機と、この破砕機の上部で外部から投入した木材を破砕機に導く回転式タブと、破砕機によって破砕した木材片の飛散方向に対向して回転式タブの上端部に近接配置した飛散防止カバーとを有する木材破砕機において、エンジンの冷却ファンの吸込口を飛散防止カバー側に配置したことを特徴とする。
【０００７】
第１発明によれば、木材破砕機に対して木材破砕機のオペレータや木材破砕機に木材を投入する積込機のオペレータがいる操作員側と反対方向から冷却ファンがエンジン冷却風を吸入する。このため木材破砕機が発生する破砕片や埃が木材破砕機に対して操作員側と反対側に強制的に流れるので木材破砕機に対して操作員側の環境条件が良くなる。従って木材破砕機のオペレータの安全性及び作業性が向上すると共に疲労度が軽減される。また積込機のオペレータの視界性も向上するため回転式タブ内の積込状況を確認しながら安全、かつ能率良く積込作業ができる。
【０００８】
本願の第２発明に係る木材破砕機は、第１発明において、破砕機等の駆動制御部の制御盤を、飛散防止カーと反対側の基台上に配置したことを特徴とする。
【０００９】
第２発明によれば、破砕機等の駆動制御部の制御盤が飛散防止カバーと反対側、すなわち、パワーショベル等の積込機械側の基台上に配置されるため、パワーショベル等の積込機械と木材破砕機との操作性が向上する。
【００１０】
本願の第３発明に係る木材破砕機は、第１又は２発明において、エンジンのクランク軸方向を基台の長手方向とほぼ直交する方向に配置し、かつ少なくとも油圧駆動によってミルを駆動することを特徴とする。
【００１１】
第３発明によれば、エンジンの気筒数が増加する程、クランク軸方向のエンジン寸法に対するクランク軸と直角方向のエンジン寸法の比は小さくなる。このため、エンジンの気筒数が増加する程、従来技術に対する木材破砕機の長手方向寸法の減少割合が増すと共に、油圧ポンプはクランク軸方向のエンジン端部に設置されるため木材破砕機の長手方向の寸法が減少してコンパクトになる。
【００１２】
本願の第４発明に係る木材破砕機は、第１〜３発明のいずれかにおいて、エンジンの冷却ファンを吸い込み式とすると共に、吸込口にネットを有することを特徴とする。
【００１３】
第４発明によれば、冷却ファンにより吸い込まれる冷却風はラジエータ等の熱交換器を通過する前にネットにより冷却風中のゴミが濾過される。このため、ラジエータ等の熱交換器に詰まったゴミの除去作業工数が低減するとともに、ラジエータ等の熱交換器のフィンにゴミが付着し難くなりラジエータの熱交換効率の低下が防止される。
【００１４】
本願の第５発明に係る木材破砕機は、第１〜４発明のいずれかにおいて、破砕機下方の基台に支持されて破砕機によって破砕した木材片を外部に搬出自在とすると共に、木材破砕機本体の輸送限界寸法内に折り畳み自在とされたコンベアを有することを特徴とする。
【００１５】
第５発明によれば、木材破砕機のコンベアを折り畳むと、コンベアが回転式タブの上端部よりも下方に収まると共に、木材破砕機の長手方向の寸法も短縮される。このため、木材破砕機の搬送時に操舵性がよくなり輸送性が向上する。
【００１６】
【発明の実施の形態】
以下に本願発明に係る各実施形態について図１〜図５の図面を参照して詳述する。本発明の第１実施形態の構成を図１〜３に示す。
走行履帯１を装着した木材破砕機１０の基台２には、その一端にクランク軸方向が基台２の長手方向と直角になる向きにエンジン３が装着される。エンジン３のクランク軸方向一端には吸い込み式の冷却ファン４が、他端には油圧ポンプ５が設置される。油圧ポンプ５は管路６を介して操作弁７に接続され、操作弁７は管路８を介して油圧アクチュエータ９（第１実施形態では油圧モータ９ａ）に接続される。破砕機１１はその駆動軸が基台２の長手方向となる向きに設置され、油圧モータ９ａが正転の場合には図１のＲ方向に駆動される。図３によって油圧モータ９ａによる破砕機１１の駆動構成について詳述する。基台２に固定された第１ブラケット１８は油圧モータ９ａを支持すると共に、油圧モータ９ａの出力軸端９ｂを回転自在に支持する。基台２に固定された第２ブラケット１９は破砕機１１の駆動軸端１１ａを回転自在に軸支する。これら油圧モータ９ａの出力軸端９ｂと破砕機１１の駆動軸端１１ａとは自在継手２０で連結される。
【００１７】
破砕機１１の上部には外部から投入した木材を破砕機１１に導くじょうご状の回転式タブ１２がＢ（正転）方向に回転自在に設置される。基台２上には木材片の飛散方向に対向して回転式タブ１２の上端部に近接するように飛散防止カバー１３が設置される。冷却ファン４は飛散防止カバー１３の設置側となるエンジン３の端部に配置され、冷却ファン４の上流側に配置したラジエータ１４のさらに上流側にネット１５を備える。また、破砕機１１等の制御盤１６は飛散防止カバー１３の設置側と反対側の基台２上に配置される。
【００１８】
破砕機１１下方の基台２には第１コンベア１７ａの基端部分が支持され、第１コンベア１７ａの長手方向先端部分は、基台２に固定されたオーバハングビーム２４と吊りビーム２５とにより支持される。第１コンベア１７ａの長手方向先端にはピンＰ１で第２コンベア１７ｂの基端が上下方向に回転自在に軸支されている。第２コンベア１７ｂの基端部分にはアーム１７ｃの一端が固定され、第１コンベア１７ａの先端部分には一端をピンＰ２回りに回転自在にリンク１７ｄが装着され、アーム１７ｃとリンク１７ｄとの各他端はピンＰ３で連結されると共に、ピンＰ３とオーバハングビーム２４上のピンＰ４とには油圧シリンダ１７ｅが装架される。
【００１９】
第１実施形態の構成による作用について説明する。
木材破砕作業で、木材破砕機１０に対して木材破砕機１０のオペレータや木材破砕機１０に木材を投入する積込機のオペレータがいる操作員側と反対方向から冷却ファン４がラジエータ１４を介してエンジン冷却風を吸入する。このため木材破砕機１０が発生する破砕片や埃が木材破砕機１０に対して操作員側と反対側に強制的に流れるので木材破砕機１０に対して操作員側の環境条件が良くなる。このため木材破砕機１０のオペレータの安全性及び作業性が向上すると共に疲労度が軽減される。また積込機のオペレータの視界性が向上するため回転式タブ１２内の積込状況を確認しながら安全、かつ能率良く積込作業ができる。
またエンジン冷却風と共に強制的に冷却ファン４方向に流れる破砕片や埃は、ラジエータ１４上流のネット１５により濾過される。このためラジエータ１４にゴミが詰まり難くなりゴミの除去作業が容易になる。またラジエータ１４のフィンへ付着するゴミが少なくなるのでラジエータ１４の熱交換効率の低下を防止できる。
【００２０】
また、エンジン３の気筒数が増加する程、クランク軸方向のエンジン３寸法に対するクランク軸と直角方向のエンジン３寸法の比は小さくなる。このため、エンジン３の気筒数が増加する程、従来技術に対する基台２の長手方向寸法の減少割合が増すと共に、油圧ポンプ５はクランク軸方向のエンジン端部に設置されるため、基台２の長手方向の寸法が減少してコンパクトになる。さらに、エンジン３の冷却ファン４がラジエータ１４を介してエンジン３の冷却風を吸い込むとき、ラジエータ１４を通過する冷却風はネット１５によりゴミが濾過される。このため、ラジエータ１４にゴミが詰まり難くなりゴミの除去作業工数が低減すると共に、ラジエータ１４のフィンにゴミが付着し難くなりラジエータ１４の熱交換効率の低下が防止される。
【００２１】
また、油圧シリンダ１７ｅを収縮して二点鎖線で示すように第２コンベア１７ｂをピンＰ１回りに破砕機１１側に折り曲げると、木材破砕機１０の長手方向寸法がＬ５からＬ４まで減少すると共に、第２コンベア１７ｂの地上高Ｈ１も回転式タブ１２上端部の地上高Ｈ２よりも下方となる。従って、木材破砕機１０が輸送限界寸法内に収まるため搬送時の輸送性が向上する。また、図３に示すように油圧モータ９ａの出力軸端９ｂと破砕機１１の駆動軸端１１ａとは自在継手２０により連結されるため、油圧モータ９ａの出力軸端９ｂと破砕機１１の駆動軸端１１ａとの調心作業が簡単となる。
【００２２】
本発明の第２実施形態の構成を図４，５に示す。
第１実施形態ではエンジン３をクランク軸方向が基台２の長手方向と直角になる向きに装着し、エンジン３により駆動される油圧ポンプ５等によって破砕機１１を油圧駆動したが、第２実施形態では従来と同様にエンジン３のクランク軸方向を基台２の長手方向に配置し、プロペラシャフト２３により破砕機１１の駆動軸（符号省略）に連結される。このため、エンジン３の冷却ファン４の上流側に配置したラジエータ１４に、飛散防止カバー１３側の基台２に配置されたネット１５から吸入された冷却風を導入するダクト２１が形成される。その他の構成については第１実施形態と同様のため説明を省略する。
【００２３】
第２実施形態の構成による作用について説明する。
第１実施形態と同様に、木材破砕機１０に対して操作員側と反対方向からネット１５、ダクト２１及びラジエータ１４を介して冷却ファン４がエンジン冷却風を吸入する。このため第１実施形態と同様な作用効果が得られる。またエンジン冷却風と共に強制的に冷却ファン４方向に流れる破砕片や埃も、第１実施形態と同様にネット１５により濾過されるため第１実施形態と同様な作用効果が得られる。なお、エンジン３がプロペラシャフト２３を介して破砕機１１を駆動する点については従来と同様である。尚、破砕機はハンマーミル、固定刃付回転破砕機等の木材を破砕する物であれば良い。
【図面の簡単な説明】
【図１】本発明の第１実施形態を示す平面図である。
【図２】図１の側面図である。
【図３】図２に示す自在継手の連結状態を示す詳細図である。
【図４】本発明の第２実施形態を示す平面図である。
【図５】図４の側面図である。
【図６】従来の技術を示す図である。
【符号の説明】
１…走行履帯、２…基台、３…エンジン、４…冷却ファン、５…油圧ポンプ、６，８…管路、７…操作弁、９…油圧アクチュエータ、９ａ…油圧シリンダ、９ｂ…出力軸端、１０…木材破砕機、１１…破砕機、１１ａ…駆動軸端、１２…回転式タブ、１３…飛散防止カバー、１４…ラジエーダ、１５…ネット、１６…制御盤、１７…コンベア、１７ａ…第１コンベア、１７ｂ…第２コンベア、１７ｃ…アーム、１７ｄ…リンク、１７ｅ…油圧シリンダ、１８…第１ブラケット、１９…第２ブラケット、２０…自在継手、２１…ダクト、２３…プロペラシャフト、２４…オーバハングビーム、２５…吊りビーム。
【図１】
0003877103.tif 000002
【図２】
0003877103.tif 000003
【図３】
0003877103.tif 000004
【図４】
0003877103.tif 000005
【図５】
0003877103.tif 000006
【図６】
0003877103.tif 000007